(57)【要約】【目的】  本発明は、吸排口からのフィルターの取り外しを良好にすることを目的としてなされたもので、しかも、非常に簡単な製造法により得られる取外し性の良好なフィルターを提供するものである。【構成】  本発明のフィルター１は、フィルター本体２と摘み体３とからなるフィルターであって、摘み体は、線条部の両端に係止片を有し、少なくとも一方の係止片を露出させた状態で摘み体をフィルター本体部に差し込んでなる。また、本発明の別の態様のフィルターは、フィルター本体と摘み体とからなるフィルターであって、摘み体は、線条部の両端に係止片を有し、線条部をフィルターに差し込んで、かつ、一方の係止片に他方の係止片を連結してなる。【選択図】  図１
2005144342.tif 000002
【特許請求の範囲】
【請求項１】
フィルター本体と摘み体とからなるフィルターであって、摘み体は、線条部の両端に係止片を有し、少なくとも一方の係止片を露出させて摘み体をフィルター本体部に差し込んでなることを特徴とするフィルター。
【請求項２】
フィルター本体と摘み体とからなるフィルターであって、摘み体は、線条部の両端に係止片を有し、線条部をフィルター本体に差し込んで、かつ、一方の係止片に他方の係止片を連結してなることを特徴とするフィルター。
【発明の詳細な説明】
【技術分野】
【０００１】
本発明は、吸気口や排水口等の吸排口に装着するフィルターにおいて、取り外しやすいフィルターに関する。
【背景技術】
【０００２】
排水口には、ゴムやコンタクトレンズ等を流出させないように、網や発泡体等で形成されたフィルターが取り付けられるようになっている。発泡体を用いたものとして、セル膜のない三次元網目構造からなる弾性発泡体を断面略円形にカットしたフィルタ−が知られている。このようなフィルターであると、水等の流体は円滑に通過させて流れを損なうことなく、しかも、髪の毛や糸屑などを確実に保持することができ、その弾性により取り付け取り外しが簡単かつ確実にできる等の利点を有するものである。
【特許文献１】特許第３２０７７４１号公報
【発明の開示】
【発明が解決しようとする課題】
【０００３】
本発明は、さらに吸排口からのフィルターの取り外しを良好にすることを目的としてなされたもので、しかも、非常に簡単な製造法により得られる取外し性の良好なフィルターを提供するものである。
【課題を解決するための手段】
【０００４】
本発明のフィルターの第１態様は、フィルター本体と摘み体とからなるフィルターであって、摘み体は、線条部の両端に係止片を有し、少なくとも一方の係止片を露出させて摘み体をフィルター本体部に差し込んでなる構成である。この構成の場合、中空部と横溝とが通じた横溝付き中空針をフィルター本体に差し込み、中空部を通して一方の係止片を中空針の先端に押し出すことによって、摘み体をフィルター本体に取り付けることが好ましい。
【０００５】
また、本発明のフィルターの第２態様は、フィルター本体と摘み体とからなるフィルターであって、摘み体は、線条部の両端に係止片を有し、線条部をフィルター本体に差し込んで、かつ、一方の係止片に他方の係止片を連結してなる構成である。この構成の場合、中空部と横溝とが通じた横溝付き中空針をフィルター本体に差し込み、中空部を通して一方の係止片を中空針の先端に押し出して、さらに、一方の係止片を他方の係止片に連結することによって、摘み体をフィルター本体に取り付けることが好ましい。
【発明の効果】
【０００６】
排水口等の吸排口に、その口径に見合ったフィルターを嵌め込んで装着した時、フィルターの上部が吸排口の入り面より上方に位置するような場合は、フィルターを取り出すことにそれほどの困難性はないが、フィルターが排水口の入り面より沈んでしまった場合、フィルターを取り出すことは非常な困難である。本発明は、フィルターに摘み体を設けたので、ある程度、フィルターが沈んでも、摘み体を摘むことによって簡単にフィルターを取り出せるという効果を奏する。しかも、中空部と横溝とが通じた横溝付き中空針をフィルター本体に差し込み、中空部を通して一方の係止片を中空針の先端に押し出すという方法によって、製造コストを極力抑えてフィルターに摘み体を設けることができるという効果を奏する。また、第２態様のおいては、さらに摘み体が環を形成するのでより摘みやすい構造となる。なお、第１及び第２の態様において、中空針の横溝は、摘み体を中空針から抜かすために設けたものである。
【発明を実施するための最良の形態】
【０００７】
本発明のフィルター１は、一般に、値札や注意書等のタグを衣類等の商品に吊り下げる際に用いるタグピンが、フィルターの摘み体に適していること、及び一般に包装現場で用いられているタグピン取付具を用いれば製造コストを極力抑えられることを知見して得られたものである。本発明の第１態様を図１及び図２に、第２態様を図３に示す。
【０００８】
フィルター本体２は、摘み体を容易に差し込むことができるように、適度な伸長性を有していることが好ましい。このような性状の有するものとして、ポリウレタンフォームや厚手の布帛等が好適に使用できる。また、フィルターは、吸排口を通過する流体によって移動しないことが必要であり、したがって、フィルター本体は、圧縮されて体積を減少した状態で吸排口に嵌め込んで装着可能なものが好ましく、硬さ８０〜５００Ｎ（ＪＩＳ  Ｋ６４００）のポリウレタンフォームが好適に使用される。また、フィルター本体は、吸排口に合わせた形状の立方体（通常は円柱）とし、（高さ）÷（一辺の長さ又は直径）が０．１以上であることが好ましい。
【０００９】
ポリウレタンフォームは、ポリオールと、ジイソシアネートと、発泡剤、製法剤および触媒等の副原料を混合することによって製造されるもので、通気性や通水性の点から、セル膜を極力取り除いたフォームを使用することが好ましい。セル膜除去の方法としては、融解（又は燃焼）や溶解によってセル膜の部分のみを除去する、いわゆる水素爆発法（熱で膜部分のみ除去）や溶解法（アルカリ等で膜部分を除去）がある。また、原料配合を調整することによって、ポリウレタンフォームの生成の最終段階でセル膜を破る方法（例えば、ポリエーテルポリオールとポリエステルポリオールを併用し、さらに界面活性剤を調整することで発泡体の通気度を高めるような方法）もある。
【００１０】
布帛は、吸排口に装着した際に、皺が発生したり折れ曲がったりしないように、不織布やダブルラッセル等で構成された厚さの厚い材料が好ましい。布帛の材料としては、吸排口の口径に合わせて変形するように弾性成分（合成ゴムやエラストマー）含んだ繊維によって構成することが好ましい。合成ゴムとしては、スチレン−ブタジエンゴム、ブタジエンゴム、イソプレンゴム、エチレン−プロピレン共重合体ゴム等がある。エラストマーとしては、スチレン系、オレフィン系、ウレタン系、ポリエステル系、ポリアミド系、１，２−ポリブタジエン系、塩ビ系、フッ素系等の熱可塑性エラストマーがある。
【００１１】
線条部の両端に係止片を有する摘み体３は、タグ取り付けに用いられているタグピンが好適に使用される。このような摘み体（タグピン）３は、線条部４の両端に係止片５、５１が配置され、線条部及び２つの係止片はポリアミド、ポリプロピレン等の合成樹脂で一体に成形してある。線条部４は、通常、一本のフィラメントで断面円形又は四角形等に成形し、通気性や通水性を妨げないように、その直径又はその一辺は０．３〜１．３ｍｍにしてある。また、線条部は指先で容易に曲げられる程度の硬さにしてある。係止片５、５１は、線条部の長さ方向と直交する方向に突出した形態に成形してある。
【００１２】
本発明の第１態様においては、図１又は図２に示すように、摘み体３は流体の流れ方向を向いてフィルター本体２に差し込まれるもので、一方の係止片５は手で摘みやすいように平板状にし、他方の係止片５１はフィルター本体に差し込み可能なように丸棒状に成形してある。本発明のフィルター１は、他方の係止片５１がフィルター本体に埋まった形態（図１参照）でも外部に露出した形態（図２参照）でもどちらでも良い。また、一般に包装現場で用いられているタグピン取付具（不図示）を用いることにより、すなわち、フィルタ本体２に中空針（不図示）を差し込み、他方の係止片を押出棒（不図示）によって中空針内を通して押し出すことで、簡単にフィルター１を作製できるものである。なお、この際、他方の係止片５１は、フィルター本体から抜けてしまわないように、線条部に直交し、線条部より太い丸棒とすることが好ましい。
【００１３】
本発明の第２態様においては、他方の係止片５１に孔６を形成し、一方の係止片５に前記孔に挿嵌可能な突起７を成形したものである（第４図参照）。そして、前記突起７を前記孔６に挿嵌して２つの係止片５、５１を連結することにより本発明のフィルター１が作製される（第３図参照）。また、タグピン取付具を用いることにより、すなわち、フィルター本体２に中空針を差し込み、突起側の係止片（一方の係止片）を押出棒によって中空針内を通して押し出した後、両方の係止片５、５１を連結することで簡単にフィルター１を作製できるものである。なお、このフィルターの場合、フィルター本体の側面に、摘み体の線条部が現れるが、線条部が細くしてあること及びフィルター本体が弾力性を有することで、特に問題は発生しない。
【００１４】
以上、発明を実施するための最良の形態を説明したが、本発明のフィルターは、例えば、フィルター本体をウレタンフォームと布帛の積層品としても良いし、摘み体を差し込む部分に予め径の小さな貫通孔を設けておいて、そこに摘み体を差し込んだ形態でも良い。
【実施例１】
【００１５】
セル膜除去の処理を行った、密度２５ｋｇ／ｍ３、硬さ１３０Ｎ、セル数１６個／インチ（ＪＩＳ  Ｋ６４００）のポリウレタンフォームを高さ２０ｍｍ×直径３５ｍｍの円柱状に裁断してフィルター本体を作製した。このフィルター本体に、市販のタグピン取付具を用いて市販のタグピン（摘み体）を取り付けて、図２に示すようなフィルターを作製した。このフィルターを、口径３４ｍｍの洗面台の排水口に嵌め込んで装着した後、摘み体を摘むことによって簡単にフィルターを排水口より取り外すことができた。なお、タグピンは、線条部の長さ３５ｍｍを用いた。
【実施例２】
【００１６】
実施例１と同じフィルター本体を作製した。このフィルター本体に、市販のタグピン取付具を用いて市販のタグピン（摘み体）を取り付けて、図３に示すようなフィルターを作製した。このフィルターを、口径３４ｍｍの洗面台の排水口に嵌め込んで装着した後、摘み体を摘むことによって簡単にフィルターを排水口より取り外すことができた。なお、タグピンは、線条部の長さ８０ｍｍを用いた。
【図面の簡単な説明】
【００１７】
【図１】本発明のフィルターの一例を示す斜視図。
【図２】本発明のフィルターの一例を示す斜視図。
【図３】本発明のフィルターの一例を示す一部切り欠け斜視図。
【図４】摘み体の一例を示す斜視図。
【符号の説明】
【００１８】
１    フィルター
２    フィルター本体
３    摘み体
４    線条部
５    係止片
５１  係止片
６    孔
７    突起
【図１】
2005144342.tif 000003
【図２】
2005144342.tif 000004
【図３】
2005144342.tif 000005
【図４】
2005144342.tif 000006